(57)【要約】【課題】軽量で剛性が高いポンプ用の架台を提供する。【解決手段】ポンプ用の架台は、支持部の背面に設けられたリブを備えている。リブは、第１の脚部から第２の脚部に向かって延びる第１リブと、第２の脚から第１の脚部に向かって延びる第２リブと、を含む。そして、第１リブと第２リブとは、支持面におけるポンプが固定されるポンプ固定位置に対応する位置で交差して互いに連結されている。【選択図】図４
2018197516.tif 000002
【特許請求の範囲】
【請求項１】
ベース面に設置されてポンプを支持するポンプ用の架台であって、
矩形状の支持面を有する支持部と、
前記支持面の長辺のそれぞれから連続する第１の脚部および第２の脚部と、
前記支持部の背面に設けられたリブと、
を備え、
前記リブは、前記第１の脚部から前記第２の脚部に向かって延びる第１リブと、前記第２の脚部から前記第１の脚部に向かって延びる第２リブと、を含み、
前記第１リブと前記第２リブとは、前記支持面における前記ポンプが固定されるポンプ固定位置に対応する位置で交差して互いに連結されている、
ポンプ用の架台。
【請求項２】
前記支持部は、前記ポンプの第１接続部が連結される第１ポンプ連結位置と、前記第１ポンプ連結位置よりも前記支持部の中央に近い位置であって前記ポンプの第２接続部が連結される第２ポンプ連結位置と、を有し、
前記第１リブと前記第２リブとは、前記ポンプ固定位置として前記第２ポンプ連結位置に対応する位置で交差して互いに連結されている、
請求項１に記載のポンプ用の架台。
【請求項３】
前記第１の脚部および前記第２の脚部は、前記ベース面との締結のための締結部をそれぞれ有し、
前記第１リブは、前記第１の脚部の前記締結部から前記第２脚部に向かって延び、
前記第２リブは、前記第２の脚部の前記締結部から前記第１脚部に向かって延びる、
請求項１または２に記載のポンプ用の架台。
【請求項４】
前記リブは、前記支持面の短手方向の中央において前記長手方向に沿って延びる第３リブを更に含んでいる、
請求項１から３の何れか１項に記載のポンプ用の架台。
【請求項５】
前記第３リブは、前記第１リブと前記第２リブとの連結箇所に連結されている、
請求項４に記載のポンプ用架台。
【請求項６】
前記支持部と、前記第１の脚部および前記第２の脚部とは、金属製の１枚の板状部材からなる、
請求項１から５の何れか１つに記載のポンプ用の架台。
【請求項７】
請求項１から６の何れか１つに記載のポンプ用の架台と、
前記架台に取り付けられるポンプと、
を備える架台付きポンプ。
【請求項８】
前記リブは、外気にさらされている、
請求項７に記載の架台付きポンプ。
【発明の詳細な説明】
【技術分野】
【０００１】
本発明は、ポンプ用の架台、及び、架台付きポンプに関する。
【背景技術】
【０００２】
従来、流体を圧送するために、広くポンプが使用されている。一般に、ポンプは、モータからの動力によってインペラを回転させることにより流体を圧送する。こうしたポンプは、セメントなどで構成されたベース面に設置される場合がある。こうした場合に、ポンプおよびモータの重量を支え、かつ、ポンプとモータとの軸心を合わせるために、ポンプが架台を介してベース面に設置される場合がある。
【０００３】
ポンプ用の架台は、一例として、鋳造によって、または、鋼板を加工することによって形成される。ポンプ用の架台は、一般に金属製の場合には重量および材料費を少なくするため内部が中空に構成される。このため、ポンプが揚水する水の重量、及び、ポンプの起動／停止に伴う反力などによって、ポンプ用の架台が変形したり振動したりするおそれがあった。そのため、従来、架台の内部にセメントモルタル等の充填（グラウト）材を充填することにより、ポンプ用の架台が補強されていた。
【先行技術文献】
【特許文献】
【０００４】
【特許文献１】実開昭５５−１５４４３号公報
【発明の概要】
【発明が解決しようとする課題】
【０００５】
架台の内部にセメントモルタル等の充填材を充填するときには、充填材が均一に充填されないと、架台の剛性にばらつきが生じ、ポンプの振動および異音の発生の原因となりうる。しかし、架台の内部に充填材を均一に充填するためには煩雑な作業が伴う。さらに、上記したような架台付きポンプでは、ベース面にセメントモルタル等が付着するので、ポンプ及び架台を交換または撤去する際に障害となっていた。
【０００６】
本発明は、上記した事情に鑑みてなされたもので、軽量で剛性が高いポンプ用の架台を提供することと、その架台を利用した架台付きポンプを提供することとの少なくとも１つを目的とする。
【課題を解決するための手段】
【０００７】
［形態１］形態１によれば、ベース面に設置されてポンプを支持するポンプ用の架台が提案される。かかるポンプ用の架台は、矩形状の支持面を有する支持部と、支持面の長辺のそれぞれから連続する第１の脚部および第２の脚部と、支持部の背面に設けられたリブと、を備える。リブは、第１の脚部から第２の脚部に向かって延びる第１リブと、第２の脚部から第１の脚部に向かって延びる第２リブと、を含む。そして、第１リブと第２リブとは、支持部におけるポンプが固定されるポンプ固定位置に対応する位置で交差して互いに連結されている。
かかる構成によれば、ポンプ用の架台がリブを備えており、リブによって架台が補強されている。そして、リブにおける第１リブと第２リブとは、第１の脚部および第２の脚部から、第２の脚部および第１の脚部に向かって延びている。さらに、第１リブと第２リブとは、支持面におけるポンプが固定されるポンプ固定位置に対応する位置で交差して互いに連結されている。これにより、ポンプ用の架台を軽量で且つ高い剛性を有するものとすることができる。
【０００８】
［形態２］形態２によれば、形態１において、支持部は、ポンプの第１接続部が連結される第１ポンプ連結位置と、第１固定位置よりも支持部の中央に近い位置であってポンプの第２接続部が連結される第２ポンプ連結位置と、を有する。そして、第１リブと第２リブとは、ポンプ固定位置として第２ポンプ連結位置に対応する位置で交差して互いに連結されている。
【０００９】
［形態３］形態３によれば、形態１または２において、第１の脚部および第２の脚部は、ベース面との締結のための締結部をそれぞれ有し、第１リブは、第１の脚部の締結部から第２脚部に向かって延び、第２リブは、第２の脚部の締結部から第１脚部に向かって延びる。
【００１０】
［形態４］形態４によれば、形態１から３の何れか１つにおいて、リブは、支持面の短手方向の中央において長手方向に沿って延びる第３リブを更に含んでいる。
こうすれば、ポンプ用の架台を更に剛性を有するものとすることができる。
【００１１】
［形態５］形態５によれば、形態４において、第３リブは、第１リブと第２リブとの連結箇所に連結されている。
【００１２】
［形態６］形態６によれば、形態１から５の何れか１つにおいて、支持部と、第１の脚部および第２の脚部とは、金属製の１枚の板状部材からなる。
こうすれば、ポンプ用の架台を簡易な構成にすることができる。
【００１３】
［形態７］形態７によれば、架台付きポンプが提案され、かかる架台付きポンプは、形態１から６の何れか１つに記載のポンプ用の架台と、架台に取り付けられるポンプと、を備える。
こうすれば、軽量で高い剛性を有する架台を利用した架台付きポンプを実現することができる。これにより、ポンプの回転軸の変位を低減することができ、ポンプの安定した運転および高寿命化を図ることができる。
【００１４】
［形態８］形態８によれば、形態７において、複数のリブは、外気にさらされている。
形態８によれば、複数のリブの周囲に充填（グラウト）材が充填されておらず、複数のリブが外気にさらされている。
【図面の簡単な説明】
【００１５】
【図１】本発明の一実施形態に係るポンプ装置の概略構成を示す図である。
【図２】本実施形態のポンプの概略構成を示す断面図である。
【図３】配管およびモータを省略して架台付きポンプを示す斜視図である。
【図４】本実施形態の架台を背面から示す斜視図である。
【図５】変形例の架台
【図６】変形例の架台を背面から示す斜視図である。
【発明を実施するための形態】
【００１６】
以下、本発明の実施形態について図面を参照して説明する。なお、図面では、同一または相当する構成要素には、同一の符号を付して重複した説明を省略する。
【００１７】
図１は、本発明の一実施形態に係るポンプ装置の概略構成を示す図である。図示するように、ポンプ装置１００は、ポンプ１０と、ポンプ１０に接続された配管３０，３２と、ポンプ１０に接続された駆動源としてのモータ４０と、を備えている。本実施形態では、ポンプ１０及びモータ４０は、回転軸が鉛直（重力）方向と直交する軸線ＡＬに沿って延
びるように配置されており、架台６０を介してベース面（地面）Ｂｓに取り付けられている。
【００１８】
図２は、本実施形態のポンプの概略構成を示す断面図である。ポンプ１０は、配管３０から吸い込まれた流体（搬送液）を配管３２へ圧送する。図示するように、ポンプ１０は、ケーシング２０と、主軸（回転軸）１２と、羽根車（インペラ）１４と、軸封機構１５と、軸受１６，１７と、を備える。ケーシング２０は、配管３０が接続される吸込み口２２と配管３２が接続される吐出し口２４とを有し、搬送液の流路を画定する。主軸１２は、軸線ＡＬの方向に沿って配置されている。軸封機構１５は、主軸１２とケーシング２０との隙間を封止する。軸受１６，１７は、主軸１２をケーシング２０に軸支している。主軸１２の一端側（図２中右側）には、羽根車１４が一体に回転するように固定されている。また、主軸１２の他端側（図２中左側）は、ケーシング２０から延出しており、カップリング４２（図１参照）を介してモータ４０が連結される。かかる構成によって、主軸１２および羽根車１４は、モータ４０からの動力によって軸線ＡＬを回転中心軸として回転する。
【００１９】
図２に示すように、ポンプ１０は、羽根車１４の下方に第１の脚部（第１接続部）２７を有しているとともに、軸受１７の下方に第２の脚部（第２接続部）２８を有している。つまり、ポンプ１０は、吐出し側の配管３２の下方に第１の脚部２７を有しているとともに、第１の脚部２７と軸線ＡＬ方向に離間した第２の脚部２８を有している。そして、ポンプ１０は、第１および第２の脚部２７，２８が架台６０に連結されることにより、架台６０に固定されて支持される。
【００２０】
図３は、配管３０，３２およびモータ４０を省略して架台付きポンプを示す斜視図であり、図４は、架台６０を背面から示す斜視図である。架台６０は、ポンプ１０を支持するためにベース面Ｂｓに設置される。架台６０は、例えば鋼、ステンレス、または、アルミニウムなどの金属、もしくは、剛性の高い樹脂などで構成される。図３，４に示すように、架台６０は、ポンプ１０が取り付けられる支持部６１と、支持部６１に連続する脚部６４Ａ，６４Ｂと、支持部６１の背面に設けられた複数のリブ７０と、を有する。
【００２１】
支持部６１の上面は、ポンプ１０を支持するための略矩形状の支持面６１ａを画定する。支持部６１には、ポンプ１０の主軸１２が支持面６１ａの長手方向に沿うようにポンプ１０が取り付けられる。具体的には、図３に示すように、ポンプ１０は、吸込み口２２が支持部６１の長手方向における端部近傍に位置するように配置され、第１および第２の脚部２７，２８が支持部６１に連結される。ここで、上記したように、第１の脚部２７と第２の脚部２８とは、軸線ＡＬの方向に互いに離間している。このため、図３及び図４に示すように、支持面６１ａにおける第２の脚部２８が連結される第２ポンプ連結位置６２Ｂは、第１の脚部２７が連結される第１ポンプ連結位置６２Ａよりも、支持面６１ａの中央Ｃｐに近い位置となる。本実施形態では、ポンプ１０は、ボルト及びナットを用いた締結によって架台６０に連結される。なお、図４に示すように、架台６０にはポンプ１０との締結用の孔などが予め形成されておらず、ポンプ１０を架台６０に取り付ける現場において架台６０に締結用の孔が形成されるものとしている。ただし、こうした例に限定されず、架台６０には、支持面６１ａの第１ポンプ連結位置６２Ａおよび第２ポンプ連結位置６２Ｂに予め連結用の孔などが形成されていてもよい。また、ポンプ１０は、ボルト及びナット等を用いた締結によって架台６０に連結されるものに限定されず、溶接または接着などによって架台６０に連結されてもよい。
【００２２】
支持部６１の長辺のそれぞれには、脚部（第１の脚部、第２の脚部）６４Ａ，６４Ｂが連続している。脚部６４Ａ，６４Ｂは、支持部６１から鉛直下方に延びており、それぞれの下端がベース当接部６５Ａ，６５Ｂとなっている。ベース当接部６５Ａ，６５Ｂは、支
持面６１ａの短手方向外側に延びており、支持面６１ａと平行な平面を画定する。図４に示すように、本実施形態では、ベース当接部６５Ａ，６５Ｂには、予め決められた位置（図４では４カ所）に、鉛直方向に貫通する複数の貫通孔（締結部）６６Ａａ，６６Ａｂ，６６Ｂａ，６６Ｂｂ（以下、まとめて「貫通孔６６」ともいう）が設けられている。そして、架台６０は、ベース当接部６５Ａ，６５Ｂがベース面Ｂｓに当接するようにベース面Ｂｓに設置され、貫通孔６６においてアンカーボルト等の締結具８１，８２（図１参照）によって締結されることにより、ベース面Ｂｓに固定される。
【００２３】
図４に示すように、支持部６１の下面（背面）と脚部６４Ａ，６４Ｂの内側面とによって画定されるスペースには、複数のリブ７０が設けられている。複数のリブ７０は、それぞれが支持部６１の背面に接続されている。ここで、複数のリブ７０は、支持部６１の背面に溶接等によって接続される。本実施形態では、複数のリブ７０は、第１リブ７１、第２リブ７２、及び、第３リブ７３からなる。
【００２４】
第１リブ７１と第２リブ７２とは、支持部６１の長手方向に関して互いに線対称に設けられている。第１リブ７１と第２リブ７２とのそれぞれは、支持部６１の長手方向に対して傾斜した直線状のリブであり、両端が脚部６４Ａ，６４Ｂのそれぞれの内側面に接続されている。具体的には、第１リブ７１は、一方の端部がベース当接部６５Ａの貫通孔６６Ａａ近傍において一方の（第１の）脚部６４Ａの内側面に接続されており、他方の端部が他方の（第２の）脚部６４Ｂの内側面に接続されている。また、第２リブ７２は、一方の端部がベース当接部６５Ｂの貫通孔６６Ｂａ近傍において第２の脚部６４Ｂの内側面に接続されており、他方の端部が第１の端部６４Ａの内側面に接続されている。そして、第１リブ７１と第２リブ７２とは、第２ポンプ連結位置（ポンプ固定位置）６２Ｂに対応する位置で交差して互いに連結されている。ここで、第２ポンプ連結位置６２Ｂに対応する位置は、第２ポンプ連結位置６２Ｂの背面およびその近傍を意味する。また、図５に示すように、第１リブ７１と第２リブ７２とは、鉛直方向に沿って見たときに、第２ポンプ連結位置６２Ｂからの最短距離Ｌ１，Ｌ２が所定距離（例えば１０ｃｍ程度など）以下となるように設けられてもよい。なお、第１ポンプ連結位置６２Ａ及び第２ポンプ連結位置６２Ｂは、架台６０におけるポンプ１０の第１および第２の脚部２７，２８と接触する領域と言い換えてもよく、または、架台６０とポンプ１０とを締結するボルトなどの固定具自体の場所と言い換えてもよい。また、第３リブ７３は、第１リブ７１と第２リブ７２との連結箇所に連結されて、支持部６１の長手方向に沿って、ポンプ１０の吸込み口２２側に延びている。なお、本実施形態では、第１リブ７１は１つの部材で構成されるとともに、第２リブ７２は第１リブ７１との連結箇所において分離した２つの部材で構成されており、第２ポンプ連結位置６２Ｂに対応する位置において互いに溶接されている。ただし、第１リブ７１及び第２リブ７２は、こうした例に限定されず、一例として、支持部６１と一体形成してもよいし、それぞれに切り欠きが設けられて互いに嵌合されることにより連結されてもよい。また、第２リブ７２が１つの部材で構成されるとともに、第１リブ７１が第２リブ７２との連結箇所において分離した２つの部材で構成されて、互いに溶接されていてもよい。さらに、第３リブ７３は、第１リブ７１と第２リブ７２との連結箇所に連結されなくてもよい。つまり、第３リブ７３は、支持部６１の短手方向の中央において長手方向に沿って延びていればよい。
【００２５】
本実施形態のポンプ装置１００では、ポンプ１０によって流体が圧送されるときに、配管３０，３２および搬送液などの荷重がポンプ装置１００に作用する（図１及び図３中、太線矢印参照）。これによってポンプ１０の主軸１２が変位すると、主軸１２自体、および、モータ４０、カップリング４２等に負荷がかかって、ポンプ装置１００の安定性および寿命が低下してしまう。これに対して、本実施形態の架台６０では、支持部６１の背面に第１リブ７１及び第２リブ７２が設けられている。そして、第１リブ７１および第２リブ７２は、ベース面Ｂｓと締結される締結部（貫通孔６６Ａａ，６６Ｂａ）近傍において
一端が脚部６４Ａ，６４Ｂに接続され、第２ポンプ連結位置６２Ｂに対応する位置で交差して互いに連結されて、他端が脚部６４Ｂ，６４Ａに接続されている。これにより、架台６０の剛性を高くすることができ、ポンプ１０の安定した運転および高寿命化を図ることができる。しかも、本実施形態では、架台６０は、支持部６１の長方向に沿って延びる第３リブ７３を更に有している。このため、ポンプ１０の下方が補強され、架台６０剛性を更に高くすることができ、ポンプ１０の安定した運転および高寿命化を図ることができる。さらに、こうした剛性の高い架台６０を用いることにより、ベース面Ｂｓと架台６０との隙間に充填（グラウト）材を充填しなくても、ポンプ装置１００を安定して運転させることができる。つまり、架台６０の複数のリブ７０が外気にさらされた状態で、ポンプ装置１００を利用することができる。これにより、ポンプ装置１００の設置に要する工程を減らすことができるとともに、架台６０のメンテナンスまたは撤去などを容易に行うことができる。また、ベース面Ｂｓと架台６０との隙間に充填材が充填されないことにより、架台６０およびポンプ装置１００の軽量化を図ることができる。
【００２６】
（変形例）
上記した実施形態の架台６０は、第１リブ７１と第２リブ７２との連結箇所に連結されて支持部６１の長手方向に沿ってポンプ１０の吸込み口２２側に延びる第３リブ７３を有するものとした。しかし、架台６０は、図６の変形例の架台６０に示されるように、第３リブ７３を有さなくてもよい。また、架台６０は、複数のリブ７０として、第１リブ７１及び第２リブ７２の他にリブを備えていてもよい。一例として、架台６０は、第３リブ７３に代えて、または加えて、第１リブ７１と第２リブ７２との連結箇所に連結されて支持部６１の長手方向に沿ってポンプ１０の吸込み口２２とは反対側に延びるリブを備えていてもよい。
【００２７】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００２８】
１０…ポンプ
１２…主軸
１４…羽根車
１５…軸封機構
１６，１７…軸受
２０…ケーシング
２２…吸込み口
２４…吐出し口
４０…モータ
６０…架台
６１…支持部
６１ａ…支持面
６２Ａ…第１ポンプ連結位置
６２Ｂ…第２ポンプ連結位置
６４Ａ，６４Ｂ…脚部
６５Ａ，６５Ｂ…ベース当接部
６６Ａａ、６６Ａｂ，６６Ｂａ，６６Ｂｂ…貫通孔（締結部）
７０…リブ
７１…第１リブ
７２…第２リブ
７３…第３リブ
１００…ポンプ装置
ＡＬ…軸線
Ｂｓ…ベース面
【図１】
2018197516.tif 000003
【図２】
2018197516.tif 000004
【図３】
2018197516.tif 000005
【図４】
2018197516.tif 000006
【図５】
2018197516.tif 000007
【図６】
2018197516.tif 000008